(57)【要約】【課題】異なる機器間で映像データをコピーする場合の利便性を高める。【解決手段】  映像データと映像データの記録フォーマット固有の固有再生制御情報とを含む映像情報を入力する通信部と、映像データの記録フォーマットを判別する記録フォーマット判別部と、判別した記録フォーマットに基づいて固有再生制御情報を読み出し、読み出した固有再生制御情報を記録フォーマットに依存しない汎用フォーマットに変換した共通再生制御情報を生成する共通再生制御情報処理部と、映像情報を、記録媒体の判別した記録フォーマットに応じたディレクトリに記録するとともに、共通再生制御情報を記録媒体のディレクトリ内の所定のディレクトリに記録するディスク管理部とを備えたメディア記録再生装置。【選択図】図２
2010268196.tif 000002
【特許請求の範囲】
【請求項１】
映像データと前記映像データの記録フォーマット固有の固有再生制御情報とを含む映像情報を入力する映像情報入力手段と、
前記映像データの記録フォーマットを判別する記録フォーマット判別手段と、
判別した前記記録フォーマットに基づいて前記固有再生制御情報を読み出し、読み出した前記固有再生制御情報を前記記録フォーマットに依存しない汎用フォーマットに変換した共通再生制御情報を生成する共通再生制御情報生成手段と、
前記映像情報を、記録媒体の判別した前記記録フォーマットに応じたディレクトリに記録するとともに、前記共通再生制御情報を前記記録媒体の前記ディレクトリ内の所定のディレクトリに記録する記録手段と、
を備えたことを特徴とする映像記録装置。
【請求項２】
請求項１に記載の映像記録装置であって、
前記共通再生制御情報生成手段は、前記記録媒体に記録されている前記情報の映像データを参照するための総合共通再生制御情報をさらに生成し、
前記記録手段は、前記総合共通再生制御情報を前記記録媒体の所定のディレクトリに記録することを特徴とする映像記録装置。
【請求項３】
映像データと前記映像データの記録フォーマット固有の固有再生制御情報とを含む映像情報を入力する映像情報入力手段と、
前記映像データの記録フォーマットを判別する記録フォーマット判別手段と、
判別した前記記録フォーマットに基づいて前記固有再生制御情報を読み出し、読み出した前記固有再生制御情報を前記記録フォーマットに依存しない汎用フォーマットに変換した共通再生制御情報を生成する共通再生制御情報生成手段と、
前記映像情報を、記録媒体の判別した前記記録フォーマットに応じたディレクトリに記録するとともに、前記共通再生制御情報を前記記録媒体の前記ディレクトリ内の所定のディレクトリに記録する記録手段と、
前記共通再生制御情報にしたがって、対応する映像データの再生を行なう再生手段と、を備えたことを特徴とする映像記録再生装置。
【請求項４】
請求項３に記載の映像記録再生装置であって、
前記共通再生制御情報処理手段は、ユーザの指示に基づいて、前記記録媒体に記録されている映像データの一部を連続的に参照するための再生情報を生成し、
前記記録手段は、前記再生情報を前記所定のディレクトリに記録し、
前記再生手段は、前記再生情報および前記共通再生制御情報にしたがって前記映像データの一部を連続的に再生することを特徴とする映像記録再生装置。
【請求項５】
映像データと前記映像データの記録フォーマット固有の固有再生制御情報とを含む映像情報を入力するステップと、
前記映像データの記録フォーマットを判別するステップと、
判別した前記記録フォーマットに基づいて前記固有再生制御情報を読み出し、読み出した前記固有再生制御情報を前記記録フォーマットに依存しない汎用フォーマットに変換した共通再生制御情報を生成するステップと、
前記映像情報を、記録媒体の判別した前記記録フォーマットに応じたディレクトリに記録するとともに、前記共通再生制御情報を前記記録媒体の前記ディレクトリ内の所定のディレクトリに記録するステップと、
を備えたことを特徴とする映像記録方法。
【請求項６】
映像データと前記映像データの記録フォーマット固有の固有再生制御情報とを含む映像情報を入力するステップと、
前記映像データの記録フォーマットを判別するステップと、
判別した前記記録フォーマットに基づいて前記固有再生制御情報を読み出し、読み出した前記固有再生制御情報を前記記録フォーマットに依存しない汎用フォーマットに変換した共通再生制御情報を生成するステップと、
前記映像情報を、記録媒体の判別した前記記録フォーマットに応じたディレクトリに記録するとともに、前記共通再生制御情報を前記記録媒体の前記ディレクトリ内の所定のディレクトリに記録するステップと、
前記共通再生制御情報にしたがって、対応する映像データの再生するステップと、を備えたことを特徴とする映像記録再生方法。
【発明の詳細な説明】
【技術分野】
【０００１】
本発明は、映像記録装置、映像記録再生装置、映像記録方法および映像記録再生方法に関する。
【背景技術】
【０００２】
特許文献１に記載されているように、バックアップやダビングのために異なる機器間で映像データをコピーすることが広く行なわれている。現在、映像データの記録フォーマットは多岐に渡り、記録メディア等に応じて種々の方式が用いられている。例えば、小型のビデオカメラでは、ＤＶＤビデオカメラ、ＳＤビデオカメラ、ＤＶビデオカメラ、ＢＤビデオカメラ等のそれぞれ異なる方式の機器が商品化されている。
【０００３】
また、同じ記録メディアであっても、異なる規格の記録フォーマットが用いられることも多い。例えば、記録メディアとしてＤＶＤを用いる機器であっても、機器によってＤＶＤ−ＲＯＭフォーマット、ＤＶＤ−ＶＲフォーマット等が用いられている。
【先行技術文献】
【特許文献】
【０００４】
【特許文献１】特開２００２−６９７９号公報
【発明の概要】
【発明が解決しようとする課題】
【０００５】
一般に、映像データには、映像データを再生するための記録フォーマット固有の再生制御情報である固有再生制御情報が付随している。このため、映像データのコピーを行なう場合には、映像データに加えて固有再生制御情報も合わせてコピーする必要がある。
【０００６】
しかしながら、異なる機器間で映像データをコピーする場合、記録フォーマットが異なっていると、映像データと固有再生制御情報とをそのままコピーしただけではコピー先で再生することができない。
【０００７】
このため、規格の異なる機器間でコピーを行なう場合には、映像データと固有再生制御情報全体をコピー先の記録フォーマットに変換した上でコピーを行なわなければならず、手間と時間がかかってしまうことになる。特に、記録フォーマットは記録メディアに依存することが多いため、異なる記録メディア間でコピーを行なう場合にこの問題は顕著である。また、このとき、コピー先には記録フォーマット変換後の映像データが記録されるため、元の記録フォーマットのデータはバックアップされないことになってしまう。さらに記録フォーマットの規格毎に固有再生制御情報が異なるため、コピー後の映像データの再生の際の操作感も異なってしまうという問題がある。そこで、本発明は、異なる機器間で映像データをコピーする場合の利便性を高めることを目的とする。
【課題を解決するための手段】
【０００８】
上記課題を解決するため、本発明の第１の態様である映像記録装置は、映像データと前記映像データの記録フォーマット固有の固有再生制御情報とを含む映像情報を入力する映像情報入力手段と、前記映像データの記録フォーマットを判別する記録フォーマット判別手段と、判別した前記記録フォーマットに基づいて前記固有再生制御情報を読み出し、読み出した前記固有再生制御情報を前記記録フォーマットに依存しない汎用フォーマットに変換した共通再生制御情報を生成する共通再生制御情報生成手段と、前記映像情報を、記録媒体の判別した前記記録フォーマットに応じたディレクトリに記録するとともに、前記共通再生制御情報を前記記録媒体の前記ディレクトリ内の所定のディレクトリに記録する記録手段とを備える。
【０００９】
ここで、前記共通再生制御情報生成手段は、前記記録媒体に記録されている前記情報の映像データを参照するための総合共通再生制御情報をさらに生成し、前記記録手段は、前記総合共通再生制御情報を前記記録媒体の所定のディレクトリに記録するようにしてもよい。
【００１０】
上記課題を解決するため、本発明の第２の態様である映像記録再生装置は、映像データと前記映像データの記録フォーマット固有の固有再生制御情報とを含む映像情報を入力する映像情報入力手段と、前記映像データの記録フォーマットを判別する記録フォーマット判別手段と、判別した前記記録フォーマットに基づいて前記固有再生制御情報を読み出し、読み出した前記固有再生制御情報を前記記録フォーマットに依存しない汎用フォーマットに変換した共通再生制御情報を生成する共通再生制御情報生成手段と、前記映像情報を、記録媒体の判別した前記記録フォーマットに応じたディレクトリに記録するとともに、前記共通再生制御情報を前記記録媒体の前記ディレクトリ内の所定のディレクトリに記録する記録手段と、前記共通再生制御情報にしたがって、対応する映像データの再生を行なう再生手段とを備える。
【００１１】
ここで、前記共通再生制御情報処理手段は、ユーザの指示に基づいて、前記記録媒体に記録されている映像データの一部を連続的に参照するための再生情報を生成し、前記記録手段は、前記再生情報を前記所定のディレクトリに記録し、前記再生手段は、前記再生情報および前記共通再生制御情報にしたがって前記映像データの一部を連続的に再生するようにしてもよい。
【００１２】
上記課題を解決するため、本発明の第３の態様である映像記録方法は、映像データと前記映像データの記録フォーマット固有の固有再生制御情報とを含む映像情報を入力するステップと、前記映像データの記録フォーマットを判別するステップと、判別した前記記録フォーマットに基づいて前記固有再生制御情報を読み出し、読み出した前記固有再生制御情報を前記記録フォーマットに依存しない汎用フォーマットに変換した共通再生制御情報を生成するステップと、前記映像情報を、記録媒体の判別した前記記録フォーマットに応じたディレクトリに記録するとともに、前記共通再生制御情報を前記記録媒体の前記ディレクトリ内の所定のディレクトリに記録するステップと、を備える。
【００１３】
上記課題を解決するため、本発明の第４の態様である映像記録再生方法は、映像データと前記映像データの記録フォーマット固有の固有再生制御情報とを含む映像情報を入力するステップと、前記映像データの記録フォーマットを判別するステップと、判別した前記記録フォーマットに基づいて前記固有再生制御情報を読み出し、読み出した前記固有再生制御情報を前記記録フォーマットに依存しない汎用フォーマットに変換した共通再生制御情報を生成するステップと、前記映像情報を、記録媒体の判別した前記記録フォーマットに応じたディレクトリに記録するとともに、前記共通再生制御情報を前記記録媒体の前記ディレクトリ内の所定のディレクトリに記録するステップと、前記共通再生制御情報にしたがって、対応する映像データの再生するステップと、を備える。
【発明の効果】
【００１４】
本発明によれば、異なる機器間で映像データをコピーする場合の利便性が高まる。
【図面の簡単な説明】
【００１５】
【図１】本実施形態に係る映像記録再生システムの構成を模式的に示す図である。
【図２】メディア記録再生装置およびデジタルビデオカメラの機能構成を示すブロック図である。
【図３】メディア記録再生装置がデジタルビデオカメラに装填されたＤＶＤディスクに記録された映像情報を、ＨＤＤにコピーする処理について説明するフローチャートである。
【図４】ＤＶＤ−ＶＲ規格に基づくＤＶＤディスクのディレクトリ／ファイル構造を示す図である。
【図５】共通再生制御情報処理部が行なう共通再生制御情報付加処理について説明するフローチャートである。
【図６】共通再生制御情報処理部の解析結果概要の一例を示す図である。
【図７】生成された共通再生制御情報の一例を示す図である。
【図８】第１実施例の映像情報のコピー処理が終了した状態におけるＨＤＤのディレクトリ／ファイル構造を示す図である。
【図９】メディア記録再生装置における、ＨＤＤに格納された映像情報の再生について説明するフローチャートである。
【図１０】ＳＤ−ＶＩＤＥＯ規格に基づくディレクトリ／ファイル構造を示す図である。
【図１１】第２実施例の映像情報のコピー処理が終了した状態におけるＨＤＤのディレクトリ／ファイル構造を示す図である。
【図１２】総合再生制御情報の生成・更新処理を説明するフローチャートである。
【図１３】生成された総合再生制御情報の一例を示す図である
【図１４】「ＵＮＡＶＥＸ」ディレクトリが作成され、総合再生制御情報が格納された状態におけるＨＤＤのディレクトリ／ファイル構造を示す図である。
【図１５】総合再生制御情報に基づいて映像情報を再生する処理について説明するフローチャートである。
【図１６】映像情報のメニュー画面の一例を示す図である。
【図１７】プレイリスト表示画面の一例を示す図である。
【図１８】総合ユーザプレイリストの作成処理について説明するフローチャートである。
【図１９】総合ユーザプレイリスト格納後のＨＤＤ１４５のディレクトリ／ファイル構成を示す図である。
【図２０】総合ユーザプレイリストである「ｖ００００１．ｘｆｕｎ」の一例を示す図である。
【図２１】更新された「ｅｘｔｅｎｔ．ｘｆｕｎ」の一例を示す図である。
【図２２】総合ユーザプレイリストを選択するためのメニュー画面の一例を示す図である。
【図２３】映像データファイルの一部を連続再生する総合ユーザプレイリストの一例を示す図である。
【図２４】識別番号を付したディレクトリ名称を用いた場合におけるＨＤＤのディレクトリ／ファイル構造を示す図である。
【発明を実施するための形態】
【００１６】
本発明の実施の形態について図面を参照して詳細に説明する。図１は、本実施形態に係る映像記録再生システムの構成を模式的に示す図である。本図に示すように、映像記録再生システム１は、ディスプレイ装置７０に接続されたメディア記録再生装置１０と、第１デジタルビデオカメラ２０と、第２デジタルビデオカメラ５０とを備えて構成される。メディア記録再生装置１０と第１デジタルビデオカメラ２０あるいは第２デジタルビデオカメラ５０とは、所定の通信規格、例えば、ＵＳＢで通信を行なうことができる。この場合、ＵＳＢケーブル４０を介して両者を接続することで、映像データ、制御用データ等の伝送が可能となる。なお、映像データには、音声情報、その他の情報も含まれるものとする。
【００１７】
第１デジタルビデオカメラ２０は、可搬型あるいは固定式の記録メディアを備えており、記録メディアに対応した所定の記録フォーマットで映像データを記録する。映像データには、映像データを再生するために必要な情報が記録された再生制御情報（ナビゲーション情報）が付随しており、その記録フォーマット固有の固有再生制御情報となっている。以下では、これらをまとめて映像情報と称する。本実施形態では、例えば、記録メディアはＤＶＤであり、記録フォーマットはＤＶＤ−ＶＲ規格であるとする。もちろん、これは一例であり、ＤＶＤ、ＤＶＤ−ＶＲ規格に限定されるものではない。
【００１８】
第２デジタルビデオカメラ５０も、可搬型あるいは固定式の記録メディアを備えており、記録メディアに対応した所定の記録フォーマットで映像データを記録する。本実施形態では、例えば、第２デジタルビデオカメラ５０の記録メディアはＨＤＤであり、記録フォーマットはＳＤ−ＶＩＤＥＯ規格であるとする。もちろん、これは一例であり、ＨＤＤ、ＳＤ−ＶＩＤＥＯ規格に限定されるものではない。
【００１９】
メディア記録再生装置１０は、可搬型あるいは固定式の記録メディアを備えており、記録メディアに映像情報を記録するとともに、記録した映像情報を再生することができる。本実施形態では、メディア記録再生装置１０の記録メディアは、例えば、ハードディスクとするが、これに限定されるものではなく、半導体メモリや、ＢＤ等であってもよい。また、メディア記録再生装置１０は、第１デジタルビデオカメラ２０あるいは第２デジタルビデオカメラ５０の記録メディアに記録されている映像情報をコピーやムーブする機能を備えている。なお、以下の説明では、コピーで説明する。この際に、ＤＶＤに記録されている映像情報をそのままコピーした後、映像情報に含まれている映像データを、記録フォーマットに依存せず汎用的に再生するための再生制御情報である後述の共通再生制御情報を付加する。
【００２０】
図２は、ＵＳＢケーブル４０を介して接続されたメディア記録再生装置１０と第１デジタルビデオカメラ２０、および、第２デジタルビデオカメラ５０の機能構成を示すブロック図である。本図に示すようにメディア記録再生装置１０は、通信部１１０、制御部１２０、操作受付部１３０、ディスク管理部１４０、ＨＤＤ１４５、再生処理部１５０、画像処理部１６０、画像出力部１７０、記録フォーマット判別部１８０、共通再生制御情報処理部１９０を備えている。なお、ＤＶＤ、ＳＤカード等の可搬型の記録メディアのドライブ機能を備えるようにしてもよい。
【００２１】
通信部１１０は、ＵＳＢケーブル４０を介して、第１デジタルビデオカメラ２０等と通信を行ない、制御用データを送信したり、映像情報を受信したりする。制御部１２０は、メディア記録再生装置１０における各種処理を統括的に制御する機能部であり、例えば、ユーザに情報を提示して操作を受け付けるための各種メニュー画面やプレイリスト表示画面等の作成処理を行なう。
【００２２】
操作受付部１３０は、メディア記録再生装置１０に設けられた操作ボタン等を介してユーザからの操作を受け付ける。操作受付部１３０がユーザから受け付ける操作は、例えば、接続された第１デジタルビデオカメラ２０からの映像データのコピー指示、ＨＤＤ１４５に格納された映像データやプレイリストの再生指示、メニュー選択操作等である。
【００２３】
ディスク管理部１４０は、ＨＤＤ１４５に対するデータの読み書きを制御する。再生処理部１５０は、ＨＤＤ１４５に記録された映像データの再生処理を行なう。具体的には、映像データに付帯する再生制御情報を参照して、映像データのデコード、シーク等の処理を行なう。画像処理部１６０は、映像データから得られた画像に基づいて、所定の解像度の静止画像を生成する処理を行なう。
【００２４】
画像出力部１７０は、ディスプレイ装置７０と接続され、再生処理部１５０により再生される映像や、制御部１２０により生成されるメニュー画面、プレイリスト表示画面等をディスプレイ装置７０に出力するための処理を行なう。
【００２５】
記録フォーマット判別部１８０は、第１デジタルビデオカメラ２０等の記録メディアに記録されている映像情報の記録フォーマットを判別する処理を行なう。映像情報の記録フォーマットは、例えば、映像情報が格納されているディレクトリ構造を調べたり、所定のファイルの有無、名称、内容等を調べることで判別することができる。記録フォーマット判別部１８０にはあらかじめ複数の記録フォーマット、例えば、ＤＶＤ−ＶＲ規格、ＢＤ−ＲＥ規格、ＳＤ−ＶＩＤＥＯ規格、ＡＶＣＨＤ規格等に関する情報を登録しておき、複数の記録フォーマットに対応できるようにしておく。これらの記録フォーマットは、いずれもＭＰＥＧ−２、ＭＰＥＧ−４／ＡＶＣで圧縮された映像データを扱うことができる。
【００２６】
共通再生制御情報処理部１９０は、映像情報に含まれる記録フォーマット固有の固有再生制御情報に基づいて、汎用フォーマットの共通再生制御情報を生成する。ここで、共通再生制御情報は、記録フォーマット毎に異なる固有再生制御情報を、記録フォーマットに依存しないよう例えばＸＭＬフォーマット等の汎用フォーマットに変換した再生制御情報である。汎用フォーマットの共通再生制御情報を用いて映像データの再生を行なうことで、映像データの記録フォーマットにかかわらず、共通の圧縮方式を用いた映像データを汎用的に再生できるようになる。このため、共通再生制御情報処理部１９０は、記録フォーマット判別部１８０が判別可能な記録フォーマットそれぞれの固有再生制御情報の内容を解釈できるようにしておく。共通再生制御情報を生成する処理の詳細については後述する。また、共通再生制御情報処理部１９０は、共通再生制御情報を生成する際に、再生制御情報にサムネイル等の代表画像情報が含まれている場合には、代表画像を共通再生制御情報に関連付ける処理を行なうようにしてもよい。
【００２７】
図２に示すように、第１デジタルビデオカメラ２０は、撮影部２１０、記録再生部２２０、通信部２３０を備え、内部に装填されたＤＶＤディスク３０に映像情報を記録する。本実施形態ではＤＶＤ−ＶＲ規格で映像情報を記録するものとする。
【００２８】
撮影部２１０は、レンズ、撮像素子等の撮影機構を備え、光学情報を電子情報化した映像データを出力する。記録再生部２２０は、撮影部２１０から入力した映像データをＤＶＤ−ＶＲ規格の記録フォーマットにしたがって、ＤＶＤディスク３０に記録する処理を行なう。通信部２３０は、ＵＳＢケーブル４０を介して、メディア記録再生装置１０と通信を行ない、ＤＶＤディスク３０に記録された映像情報を送信したり、制御用データを受信したりする。
【００２９】
また、第２デジタルビデオカメラ５０は、撮影部５１０、記録再生部５２０、通信部５３０を備え、内部に装填されたＨＤＤ６０に映像情報を記録する。本実施形態ではＳＤ−ＶＩＤＥＯ規格で映像情報を記録するものとする。
【００３０】
撮影部５１０は、レンズ、撮像素子等の撮影機構を備え、光学情報を電子情報化した映像データを出力する。記録再生部５２０は、撮影部５１０から入力した映像データをＳＤ−ＶＩＤＥＯの記録フォーマットにしたがって、ＨＤＤ６０に記録する処理を行なう。また、メディア記録再生装置１０の制御に基づいて、ＨＤＤ６０に記録された映像情報の再生を行なう。通信部２３０は、ＵＳＢケーブル４０を介して、メディア記録再生装置１０と通信を行ない、ＨＤＤ６０に記録された映像情報を送信したり、制御用データを受信したりする。
［第１実施例］
次に、上記構成による映像記録再生システムの第１実施例について説明する。第１実施例では、メディア記録再生装置１０が、第１デジタルビデオカメラ２０に装填されたＤＶＤディスク３０に記録された映像情報を、ＨＤＤ１４５にコピーする処理と、コピーした映像情報を再生する処理とについて説明する。
【００３１】
まず、メディア記録再生装置１０が、第１デジタルビデオカメラ２０に装填されたＤＶＤディスク３０に記録された映像情報を、ＨＤＤ１４５にコピーする処理について図３のフローチャートを参照して説明する。一般に、映像情報は、映像データと、映像データを再生する際の制御情報である記録フォーマット固有の固有再生制御情報とを含んでいる。映像データはＭＰＥＧ−２等の所定の符号化方式で圧縮されており、１または複数のファイルとして所定のディレクトリに格納されている。また、再生制御情報も記録する制御情報等に応じて１または複数のファイルとして所定のディレクトリに格納されている。
【００３２】
メディア記録再生装置１０に第１デジタルビデオカメラ２０がＵＳＢケーブル４０によって接続されると、ＵＳＢのプロトコルにしたがって通信を開始する。メディア記録再生装置１０の記録フォーマット判別部１８０は、第１デジタルビデオカメラ２０に装填されているＤＶＤディスク３０のディレクトリ／ファイル構造を取得することでＤＶＤディスク３０に記録されている映像情報の記録フォーマットの判別を行なう（Ｓ１０１）。ここで、記録フォーマットの判別は、ＤＶＤディスク３０のディレクトリ／ファイル構造を調べたり、所定のファイルの有無、名称、内容等を調べることで行なう。
【００３３】
本実施形態では、ＤＶＤディスク３０の映像情報はＤＶＤ−ＶＲ規格の記録フォーマットで記録されているものとしているので、ＤＶＤ−ＶＲ規格の記録フォーマットの概要について説明する。図４は、ＤＶＤ−ＶＲ規格に基づくＤＶＤディスクのディレクトリ／ファイル構造を示す図である。本図に示すように、ＤＶＤ−ＶＲ規格は、ルートディレクトリに「ＤＶＤ＿ＲＴＡＶ」ディレクトリが作成され、「ＤＶＤ＿ＲＴＡＶ」ディレクトリ内には、少なくとも２つのファイルが配置されることになっている。そのうちの１つの「ＶＲ＿ＭＯＶＩＥ．ＶＲＯ」は、第１デジタルビデオカメラ２０によって撮影された音声／映像をＭＰＥＧ方式に従って符号化した映像データを格納しているファイルである。もう１つの「ＶＲ＿ＭＡＮＧＥＲ．ＩＦＯ」は、「ＶＲ＿ＭＯＶＩＥ．ＶＲＯ」の内容を再生するための再生制御情報を含むファイルであり、ナビゲーション情報ファイルとも呼ばれる。
【００３４】
したがって、記録フォーマット判別部１８０は、ＤＶＤディスク３０のルートディレクトリに「ＤＶＤ＿ＲＴＡＶ」ディレクトリが作成され、「ＶＲ＿ＭＯＶＩＥ．ＶＲＯ」ファイルと「ＶＲ＿ＭＡＮＧＥＲ．ＩＦＯ」ファイルとが配置されていることを検出することで、ＤＶＤディスク３０に記録された映像情報の記録フォーマットがＤＶＤ−ＶＲ規格であると判別することができる。記録フォーマット判別部１８０は、同様に、ＡＶＣＨＤ規格、ＳＤ−ＶＩＤＥＯ規格等に固有のディレクトリ／ファイル構造を検出することで、それぞれの記録フォーマットを判別することができる。
【００３５】
ＤＶＤ−ＶＲ規格における固有再生制御情報である「ＶＲ＿ＭＡＮＧＥＲ．ＩＦＯ」は、ＤＶＤ−ＶＲ規格で定められた記録フォーマットにしたがって記述されている。「ＶＲ＿ＭＡＮＧＥＲ．ＩＦＯ」に記述される内容は多岐にわたるが、代表的には「メディア全体情報」「ストリーム情報」「プレイリスト情報」「タイムマップ情報」「代表画像情報」が含まれる。
【００３６】
「メディア全体情報」は、記録メディア内に記録されている映像データと関連する各種情報全体とを管理する情報である。
【００３７】
「ストリーム情報」は、映像の符号化方式、解像度、フレームレート、音声の符号化方式、チャンネル数、標本化周波数等の映像データの復号に際して用いられる情報である。
【００３８】
「プレイリスト情報」は、映像データを分割したシーン（チャプタ）を任意の順番で再生するための情報である。シーンはスタート時間とエンド時間とを保持するセル情報として表現され、プレイリスト情報は１つ以上のセル情報を連ねて構成されている。なお、様々なシーンの組み合わせ再生を可能とするために、複数のプレイリスト情報が記録可能となっている。
【００３９】
「タイムマップ情報」は、映像の経過時間と、これに対応する映像データの記録位置を表形式で記録した情報である。一般に、ＭＰＥＧ準拠の映像符号化においては、映像データの複雑さにしたがって動的に符号量を割り当てる方式が採用されている。この場合、映像データの経過時間と符号量は線形な関係にない。したがってセル情報のスタート時間を与えられても対応する映像データの記録位置を決定し、再生のためのアクセスを高速に実施することは困難である。この問題を解消するために、タイムマップ情報が記録される。タイムマップ情報を参照することで、セル情報のスタート時間、あるいはエンド時間から、正確な映像データの位置へ高速にアクセスすることが可能となる。
【００４０】
「代表画像情報」は、映像データあるいはシーン等をユーザが識別しやすいように、映像データあるいはシーン等を代表する画像、いわゆるサムネイル画像を表示するための情報である。代表画像情報は映像データの特定の時間情報を記録しており、メディア記録再生装置１０の画像処理部１６０は代表画像情報を参照することで、映像データから静止画を生成する。この静止画は代表画像として、映像情報選択、プレイリスト選択、シーン選択等のメニュー画面で利用することができる。
【００４１】
図３に示したフローチャートの説明に戻って、記録フォーマット判別部１８０がＤＶＤディスク３０に記録されている映像情報の記録フォーマットを判別した結果、判別できなかったり、対応可能な記録フォーマットでなかった場合（Ｓ１０２：Ｎｏ）は、以下の処理は行なわない。一方、対応可能な記録フォーマットであった場合（Ｓ１０２：Ｙｅｓ）は、以下の映像情報のコピー処理を行なう。なお、映像情報のコピー処理は、例えば、ユーザからの開始指示を受け付けてから開始するようにする。
【００４２】
映像情報のコピー処理では、制御部１２０が、ディスク管理部１４０に対して、ＨＤＤ１４５にＤＶＤディスク３０と同一のディレクトリ構成を構築するように指示し、ディスク管理部１４０がＨＤＤ１４５にＤＶＤディスク３０と同一のディレクトリを作成する（Ｓ１０３）。
【００４３】
続いて、制御部１２０が、ディスク管理部１４０に対して、ＤＶＤディスク３０に格納されているファイルをＨＤＤ１４５にコピーするように指示し、ディスク管理部１４０が実行する（Ｓ１０４）。この結果、ＨＤＤ１４５には、ＤＶＤディスク３０の内容がコピーされ、ＤＶＤディスク３０と同一のディレクトリ／ファイル構造となる。
【００４４】
そして、制御部１２０は、共通再生制御情報処理部１９０に対して、ＨＤＤ１４５にコピーした映像情報に共通再生制御情報を付加するように指示し、共通再生制御情報処理部１９０が共通再生制御情報付加処理を行なう（Ｓ１０５）。
【００４５】
図５は、共通再生制御情報処理部１９０が行なう共通再生制御情報付加処理について説明するフローチャートである。共通再生制御情報処理部１９０は、記録フォーマット判別部１８０が判別した記録フォーマットに応じて、ＨＤＤ１４５から固有再生制御情報を取得する（Ｓ２０１）。第１実施例のように、判別された記録フォーマットがＤＶＤ−ＶＲ規格であれば、「ＤＶＤ＿ＲＴＡＶ」ディレクトリの「ＶＲ＿ＭＡＮＧＥＲ．ＩＦＯ」ファイルを参照すればよい。
【００４６】
そして、共通再生制御情報処理部１９０は、取得した固有再生制御情報の解析を行なう（Ｓ２０２）。一般に、再生制御情報の内容は、記録フォーマット毎に独自に定められたシンタックスに則って記述されたバイナリデータである。共通再生制御情報処理部１９０は、あらかじめ、これらのシンタックスを解釈できるようにしておく。
【００４７】
図６は、共通再生制御情報処理部１９０の解析結果概要の一例を示す図である。本図に示すように、解析結果には、ストリーム情報６０１、タイムマップ情報６０２、プレイリスト情報６０３が含まれている。なお、タイムマップ情報６０２は、ストリーム情報６０１に含まれている。
【００４８】
プレイリスト情報６０３は、撮影されたすべての映像の再生を管理する実プレイリストと、ユーザが好みのシーンだけを選んで再生させるべく追加で作成したユーザプレイリストに区分される。各プレイリストは１以上のセル情報を含み、それぞれがシーンに対応している。各セル情報はエントリーポイント（ＥＰ）の情報を含み、時間と名前を結びつけ、名前からエントリーポイントを選択し、頭出し再生が可能となっている。代表画像のポイント、ストリーム期間、セル期間、エントリーポイントはすべてＭＰＥＧ規格等で定められたＰＴＳ（プレゼンテーションタイムスタンプ）等により、例えば、９０ｋＨｚのクロック値で記述されている。
【００４９】
また、解析結果先頭部分のディスク情報とプレイリスト情報６０３には、代表画像情報６０４ａ、６０４ｂ、６０４ｃが含まれる。これは、元の固有再生制御情報に代表画像情報が含まれているためである。
【００５０】
このように元の固有再生制御情報に代表画像情報が含まれている場合には（Ｓ２０３：Ｙｅｓ）、共通再生制御情報処理部１９０は、代表画像に対応した処理を行なう（Ｓ２０４）。ここで、代表画像に対応した処理について説明する。上述のように代表画像は、映像情報、各プレイリスト、シーン（チャプタ）等に含まれる映像の特定の点を、ユーザが識別しやすくするためにサムネイル形式で表示する、比較的低解像度の静止画である。
【００５１】
映像情報の記録フォーマットによっては、代表画像情報として時間情報のみを保持し、画像情報を持たないものがある。このような記録フォーマットでは、メニュー画面における代表画像の表示に際して、時間情報に基づいて映像データを検索し、対応する静止画を生成するようにしてもよい。静止画の生成には、映像データのデコード、必要に応じた解像度変更等が必要となるため、再生用のメニュー画面に多数の代表画像を表示する場合、表示完了までに時間がかかる。
【００５２】
そこで、本実施形態のメディア記録再生装置１０では、固有再生制御情報に代表画像情報が含まれている場合には、その固有再生制御情報に基づいて共通再生制御情報を生成する過程で、規定の解像度の代表画像を作成し、ＨＤＤ１４５に格納するとともに、共通再生制御情報にリンク情報を含めるようにする。これにより、再生用のメニュー表示のたびに代表画像を生成する必要が無くなり、表示完了までの時間を早めることができる。
【００５３】
具体的には、再生制御情報に代表画像情報が含まれている場合には、そのエントリーポイントと時間情報を用いて、対応する映像データをＨＤＤ１４５から検索する。そして、再生処理部が１５０検索された映像データをデコードして数フレーム分の画像データを生成する。次いで、画像処理部１６０が、時間情報に対応する画像データを選択し、規定の解像度に変換するとともに、ＪＰＥＧ等の所定の静止画圧縮方式に従って処理を行なうことで代表画像が生成される。
【００５４】
１つのプレイリストに複数の代表画像情報が含まれている場合には、上記の処理を繰り返す。本実施形態においては、画像処理部１６０は、生成された代表画像に番号付けを行ない、代表画像が連続した１つの代表画像ファイルにまとめて管理するものとする。代表画像ファイルは、後述するように、所定のファイル名を付してＨＤＤ１４５の所定のディレクトリに記録する。
【００５５】
共通再生制御情報処理部１９０は、固有再生制御情報の解析を終了すると、解析結果に基づいて共通再生制御情報を生成する（Ｓ２０５）。本実施形態では、共通再生制御情報は、汎用性を持たせるため汎用フォーマットである例えばＸＭＬフォーマットのテキストファイルで作成する。もちろん、汎用フォーマットであれば、ＸＭＬフォーマットに限定されるものではない。この際に、あらかじめ定めたＸＭＬフォーマットのシンタックス等にしたがって、解析結果の情報要素を、意味合いを失わせること無く変換できるようにする。このため、対応する記録フォーマットで示される情報の最大公約数的な情報を表現できるようなシンタックスを定めるようにすることができる。あるいは、対応する記録フォーマットで示される情報を網羅するようなシンタックスを定めるようにしてもよい。
【００５６】
共通再生制御情報で用いるシンタックスでは、例えば、各記録フォーマットで個別に定義されている呼称を統一した呼称に対応付けたり、各記録フォーマットで定義されているパラメータのうち、同一の意味を有するものを共通化したり、ある記録フォーマット固有のパラメータに対応するパラメータを定義したりすることができる。また、映像データへの参照を容易にするため、解析結果中の時間を表す情報はビデオフレーム数に統一して表現することが望ましい。
【００５７】
本実施形態では、汎用フォーマットのＸＭＬフォーマットのテキストファイルで共通再生制御情報を作成するようにしているため、意味付けされたタグの中に値を記すことができ、直感的に理解しやすいという利点がある。また、タグを定義することにより各記録フォーマットの種々の項目に容易に対応できるという利点もある。
【００５８】
ここで、一例として、本実施形態の共通再生制御情報で用いるプレイリストに関するシンタックスについて説明する。本実施形態では、プレイリストを実プレイリストとユーザプレイリストの２種類に分類する。実プレイリストはコンテンツ記録時に映像データファイルと同時作成されるプレイリストで、コンテンツに密接したプレイリストである。ユーザプレイリストはユーザの編集操作によって作成されるプレイリストである。
【００５９】
本実施形態で一例として挙げているＤＶＤ−ＶＲ規格に限らず、呼称は異なるものの、ＢＤ等の他の規格でも２種類のプレイリストと同義の構造が定義されている。このため、各規格で対応するプレイリスト定義を以下に説明するプレイリストとユーザプレイリストの定義に対応させるものとする。
【００６０】
次に、各規格のプレイリスト内で定義されているシンタックス表現をＸＭＬフォーマットにて表現される共通再生制御情報の要素として定義する。例えば、プレイリストの名前等は規格毎に表記が異なっても、同じ意味を表すシンタックス表現が備えられている。そこで、プレイリストの名前に相当するシンタックス表現をｐｌａｙＬｉｓｔＮａｍｅ要素として統合して記述するものとする。
【００６１】
こうしてＸＭＬフォーマットで表現された要素に対する記述規則は、ＸＭＬ記述では一般的なＤＴＤ（Ｄｏｃｕｍｅｎｔ  Ｔｙｐｅ  Ｄｅｆｉｎｉｔｉｏｎ）やＸＭＬ  Ｓｃｈｅｍａで定義するものとする。例えば、上記のｐｌａｙＬｉｓｔＮａｍｅ要素に対して文字列とし、最大２５５文字までとする等の条件を定義してもよい。
【００６２】
図７は、生成された実プレイリスト情報に関連する共通再生制御情報の一例を示す図である。本例では、プレイリストのセル情報は、ｐｌａｙＩｔｅｍ要素７０１として記述され、代表画像情報７０２ａ、７０２ｂおよびエントリーポイント情報７０２ｃ、７０２ｄは、ｐｌａｙＬｉｓｔｍａｒｋ要素７０２へ統合され記述されている。
【００６３】
本実施形態では映像情報全体に関連する共通再生制御情報は、記録フォーマットに依存しない汎用フォーマットの例えばＸＭＬフォーマットで記述された「ｇｅｎｅｒａｌ．ｘｆｕｎ」ファイルとして記録し、実プレイリストに関連する共通再生制御情報も記録フォーマットに依存しない汎用フォーマットの例えばＸＭＬフォーマットで記述された「ｒ００００１．ｘｆｕｎ」ファイルとして記録し、ユーザプレイリストに関連する共通再生制御情報はＸＭＬフォーマットで記述された「ｖ００００２．ｘｆｕｎ」ファイルとして記録するものとする。「ｇｅｎｅｒａｌ．ｘｆｕｎ」ファイルに記録される情報は、「メディア全体情報」に対応する。
【００６４】
また、実プレイリストに関連する代表画像ファイルは「ｒ００００１．ｔｈｂｆ」として記録し、ユーザプレイリストに関連する代表画像ファイルは「ｒ００００２．ｔｈｂｆ」として記録するものとする。これらの代表画像ファイルの個別の代表画像への参照情報は、代表画像情報７０２ａ、７０２ｂとして、ｔｈｕｍｂｎａｉｌＩｎｄｅｘ要素における番号で示される。
【００６５】
図７に示すように、ｐｌａｙＬｉｓｔＭａｒｋ要素７０２は、複数のｍａｒｋ要素を含み、ｍａｒｋ要素はｔｙｐｅ要素、ｒｅｆＴｏＰｌａｙＩｔｅｍ要素、ｍａｒｋＴｉｍｅ要素、ｔｈｕｍｂｎａｉｌＩｎｄｅｘ要素を含んでいる。
【００６６】
ｔｙｐｅ要素は、そのｍａｒｋ要素がプレイリストの代表画像を表わすものであるか、ＤＶＤ−ＶＲ規格のエントリーポイント（ＥＰ）等で表わされるような、チャプタ情報かであるか等の種別情報である。このような種別情報を持たせることによって、ｐｌａｙＬｉｓｔＭａｒｋ要素７０２内で代表画像情報を統一的に管理できるようになる。
【００６７】
ｒｅｆＴｏＰｌａｙＩｔｅｍ要素、ｍａｒｋＴｉｍｅ要素は代表画像作成の基となった、プレイリスト内でのポイントを示す。ｔｈｕｍｂｎａｉｌＩｎｄｅｘ要素は上述のように、代表画像ファイル中の個別の代表画像への参照情報である。代表画像は、共通再生制御情報を生成する際に生成されているため、表示の際に映像データを検索する必要がなく、表示されるまでの時間を短縮することができる。
【００６８】
以上に示した手順にしたがって共通再生制御情報処理部１９０が固有再生制御情報に基づいて共通再生制御情報を生成すると、制御部１２０は、共通再生制御情報をＨＤＤ１４５に格納して、映像情報のコピー処理を終了する（Ｓ２０６）。共通再生制御情報は、処理（Ｓ１０３）で作成したディレクトリに、新たに共通再生制御情報用の「ＵＮＡＶ」ディレクトリを作成し、格納するものとする。
【００６９】
第１実施例のように元の映像情報の記録フォーマットが、ＤＶＤ−ＶＲ規格の場合には、「ＤＶＤ＿ＲＴＡＶ」ディレクトリの下に「ＵＮＡＶ」ディレクトリを作成し、生成した共通再生制御情報、すなわち、「ｇｅｎｅｒａｌ．ｘｆｕｎ」ファイル、「ｒ００００１．ｘｆｕｎ」ファイル、「ｖ００００２．ｘｆｕｎ」ファイル、「ｒ００００１．ｔｈｂｆ」ファイル、「ｒ００００２．ｔｈｂｆ」ファイルを格納して、映像情報のコピー処理を終了する。図８は、映像情報のコピー処理が終了した状態におけるＨＤＤ１４５のディレクトリ／ファイル構造を示している。
【００７０】
このように、本実施例によれば、コピー元の映像情報に含まれる固有再生制御情報に基づいて共通再生制御情報を作成し、映像データおよび固有再生制御情報からなる映像情報はそのままコピーすると共に、汎用フォーマットの共通再生制御情報もコピーする。このため、本実施例によれば、共通再生制御情報を付加するだけなので、コピー元の映像情報に変化を加えることなく、そのままの形でコピーすることが可能となる。
【００７１】
次に、メディア記録再生装置１０における、ＨＤＤ１４５に格納された映像情報の再生について図９のフローチャートを参照して説明する。メディア記録再生装置１０は、ＨＤＤ１４５を参照して、映像情報のディレクトリに「ＵＮＡＶ」ディレクトリが生成されている場合（Ｓ３０１：Ｙｅｓ）には、以下に説明するような共通再生制御情報を用いた映像情報の再生処理を行なう。
【００７２】
ここで、メディア記録再生装置１０と第１デジタルビデオカメラ２０との記録フォーマットが同じで、映像情報に含まれる固有再生制御情報に従って映像データを再生できる場合でも、あるいはメディア記録再生装置１０と第１デジタルビデオカメラ２０との記録フォーマットが異なる場合でも、「ＵＮＡＶ」ディレクトリが生成されていれば、共通再生制御情報を用いた映像情報の再生処理を行なうようにしてよい。このため、共通再生制御情報の生成は、メディア記録再生装置１０と第１デジタルビデオカメラ２０との記録フォーマットが異なる場合だけ生成しても、記録フォーマットが異なる場合だけでなく、記録フォーマットが同じ場合にも生成するようにしてよい。これに対し、映像情報のディレクトリに「ＵＮＡＶ」ディレクトリが生成されていない場合（Ｓ３０１：Ｎｏ）には、従来の再生処理を行なう（Ｓ３０３）。
【００７３】
共通再生制御情報を用いた映像情報の再生処理では、「ＵＮＡＶ」ディレクトリに格納されている共通再生制御情報であるプレイリストファイルを読み込む（Ｓ３０２）。本実施形態では、ＸＭＬフォーマットで記述された「ｒ００００１．ｘｆｕｎ」ファイル、「ｖ００００２．ｘｆｕｎ」ファイルがプレイリストファイルに該当する。なお、映像情報の再生処理は、例えば、ユーザからのプレイリスト表示指示を受け付けてから開始するようにする。
【００７４】
続いて制御部１２０は、プレイリストファイルに記録された情報にしたがって、プレイリストを選択するためのメニュー画面を生成し、画像出力部１７０を介してディスプレイ装置７０に表示する（Ｓ３０４）。この際に、プレイリストファイルに代表画像情報が含まれる場合には、代表画像情報に応じた代表画像を含めたメニュー画面を生成する。
【００７５】
具体的には、プレイリストの識別子と、代表画像情報におけるｔｈｕｍｎａｉｌＩｎｄｅｘ要素に含まれる番号とを用いて、ＨＤＤ１４５の「ＵＮＡＶ」ディレクトリに格納されている「ｒ００００１．ｔｈｂｆ」等の代表画像ファイルから対応する代表画像を読み出すことで代表画像を取得する。そして、取得した代表画像をメニュー画面に含めるようにする。
【００７６】
また、メニュー画面中のプレイリスト名は、図７に示したｐｌａｙＬｉｓｔＮａｍｅ要素７０３から取得することができる。プレイリスト名および対応する代表画像を表示するレイアウトはあらかじめ定めておくようにする。
【００７７】
そして、メニュー画面を介して、ユーザからプレイリストの選択を受け付けると（Ｓ３０５）、選択されたプレイリストの再生を実行する（Ｓ３０６）。プレイリストの再生は図７に示したｐｌａｙＬｉｓｔ要素７０４に含まれる、ｐｌａｙＩｔｅｍ要素７０１に記述されたプレイアイテム情報にしたがって実行される。すなわち、ｒｅｆＴｏＦｉｌｅＮａｍｅ要素、ｉｎＴｉｍｅ要素、ｏｕｔＴｉｍｅ要素に含まれる情報を再生処理部１５０に送り出すと、再生処理部１５０は、ＨＤＤ１４５にコピーされた「ＶＲ＿ＭＯＶＩＥ．ＶＲＯ」ファイル等の映像データ内の対応する再生区間を読み出す。そして、順次映像データのデコードを行ない、画像出力部１７０を介してディスプレイ装置７０に出力することで、映像情報の再生が行なわれる。
【００７８】
なお、複数個の映像情報がＨＤＤ１４５にコピーされている場合には、プレイリストを表示する前に、各「ＵＮＡＶ」ディレクトリの「ｇｅｎｅｒａｌ．ｘｆｕｎ」ファイルを参照することで、映像情報を選択するためのメニュー画面を生成して表示するようにしてもよい。このため「ｇｅｎｅｒａｌ．ｘｆｕｎ」ファイルには、映像情報に関する情報、例えば、名称、代表画像等の情報を記録しておくようにする。このように、各映像情報の「ｇｅｎｅｒａｌ．ｘｆｕｎ」ファイルに基づく映像情報選択メニュー画面を表示することで、ユーザにとって映像情報の選択を容易にすることができる。
【００７９】
また、ユーザが、メニュー画面でプレイリストを選択した際に、プレイリストを構成するシーン（チャプタ）の代表画像とシーン名とをメニュー形式で表示するようにしてもよい。この場合、ユーザがメニュー画面から特定のシーンを選択すると、映像データの再生は対応するｍａｒｋ要素で記述されているポイントからの再生を開始するように動作する。ユーザはメニュー形式でシーンの頭出し再生が可能となるために、メディア記録再生装置１０の利便性が向上する。
【００８０】
このように、本実施例のメディア記録再生装置１０によれば、コピー元の記録フォーマットにかかわらず、汎用フォーマットで記述された共通再生制御情報を用いて再生処理を行なうことができる。したがって、異なる記録フォーマット間であっても統一した操作感で再生処理を行なうことができるようになり、ユーザの利便性が高まることになる。
【００８１】
なお、上記の再生処理は、コピーを行なったメディア記録再生装置１０におけるメディア再生に限られない。例えば、コピーを行なったメディア記録再生装置１０が「ＵＮＡＶ」ディレクトリを含む映像情報を、ＤＶＤディスク等の可搬型の記録メディアにさらにハードコピーし、その記録メディアを、共通再生制御情報を解釈可能な他のメディア再生装置で再生する場合も図９に示した処理と同様の手順によって映像情報を再生することができる。
［第２実施例］
次に、上記構成による映像記録再生システムの第２実施例について説明する。第２実施例では、メディア記録再生装置１０が、第１実施例に示した手順で、第１デジタルビデオカメラ２０に装填されたＤＶＤディスク３０に記録された映像情報をＨＤＤ１４５にコピーした後に、第２デジタルビデオカメラ５０に装填されたＨＤＤ６０に記録された映像情報をＨＤＤ１４５にコピーする処理に説明する。このため、ＨＤＤ１４５は、すでに、図８に示したディレクトリ／ファイル構造となっている。すなわち、第２実施例はすでにコピーされた映像情報とは異なる記録フォーマットの映像情報をＨＤＤ１４５にコピーする処理である。
【００８２】
この場合も、基本的には、図３に示したフローチャートにそって映像情報のコピーを行なうことができる。すなわち、メディア記録再生装置１０に第２デジタルビデオカメラ５０がＵＳＢケーブル４０によって接続されると、ＵＳＢのプロトコルにしたがって通信を開始する。メディア記録再生装置１０の記録フォーマット判別部１８０は、第２デジタルビデオカメラ５０に装填されているＨＤＤ６０のディレクトリ／ファイル構造を取得することでＨＤＤ６０に記録されている映像情報の記録フォーマットの判別を行なう（Ｓ１０１）。
【００８３】
本実施例では、ＨＤＤ６０の映像情報はＳＤ−ＶＩＤＥＯ規格の記録フォーマットで記録されているものとしているので、ＳＤ−ＶＩＤＥＯ規格の記録フォーマットの概要について説明する。図１０は、ＳＤ−ＶＩＤＥＯ規格に基づくディレクトリ／ファイル構造を示す図である。本図に示すように、ＳＤ−ＶＩＤＥＯ規格は、ルートディレクトリに固定名の「ＳＤ＿ＶＩＤＥＯ」ディレクトリが設定される。「ＳＤ＿ＶＩＤＥＯ」ディレクトリ内には、管理用ファイルが格納される「ＭＧＲ＿ＩＮＦＯ」ディレクトリと、撮影記録した音声映像情報となるＭＯＤファイルとその記録再生情報となるＭＯＩファイルが格納される「ＰＲＧｘｘｘ」ディレクトリ（ｘｘｘは０００を除く３桁の１０進数）から構成される。
【００８４】
「ＭＧＲ＿ＩＮＦＯ」ディレクトリは「ＳＤ＿ＶＩＤＥＯ」ディレクトリ全体を管理する「ＭＧＲ＿ＤＡＴＡ」ファイル、「ＰＲＧｘｘｘ」ディレクトリを管理する「ＰＲＧ＿ＭＧＲ」ファイル、ユーザが作成したプレイリストを登録・管理する「ＰＬＳＴ＿ＭＧＲ」ファイルから構成される。
【００８５】
各「ＰＲＧｘｘｘ」ディレクトリの下には、ＰＲＧディレクトリを管理する「ＰＲＧｘｘｘ．ＰＧＩ」ファイルが１つ存在し、さらに、ユーザが撮影した音声／映像をＭＰＥＧ方式に従って符号化したストリームデータを格納している「ＭＯＶｎｎｎ．ＭＯＤ」ファイル（ｎｎｎは０００を除く３桁の１０進数）と、その記録再生情報を含む「ＭＯＶｎｎｎ．ＭＯＩ」ファイルとが存在する。ＭＯＤファイルとＭＯＩファイルは３桁の番号で１対１に対応しており、「ＰＲＧｘｘｘ」ディレクトリの中で９９組まで記録できる。９９組を超える場合には、新しいＰＲＧディレクトリを作成し、その下に撮影したＭＯＤファイルと関連するＭＯＩファイルを記録する。
【００８６】
音声映像を符号化したストリームデータのＭＯＤファイルを除くファイルは、ＭＯＤファイルの内容をユーザの所望の再生方法で再生するための固有再生制御情報（ナビゲーション情報）を含んでいる。固有再生制御情報は、ＳＤ−ＶＩＤＥＯ規格によって詳細な記述フォーマットが定められており、ＤＶＤ−ＶＲ規格と同様に、「メディア全体情報」「ストリーム情報」「プレイリスト情報」「タイムマップ情報」「代表画像情報」が含まれる。
【００８７】
「メディア全体情報」は、記録メディア内に記録されている映像データと関連する各種情報全体とを管理する情報である。
【００８８】
「ストリーム情報」は、映像の符号化方式、解像度、フレームレート、音声の符号化方式、チャンネル数、標本化周波数等の映像データの復号に際して用いられる情報である。各ＭＯＤファイルに対応したＭＯＩファイルおよび「ＰＲＧｘｘｘ．ＰＧＩ」、「ＰＲＧ＿ＭＧＲファイル」に重複して記録されている。
【００８９】
「プレイリスト情報」は、映像データを分割したシーン（チャプタ）を任意の順番で再生するための情報である。シーンはスタート時間とエンド時間とを保持するＭＯ（Ｍｅｄｉａ  Ｏｂｊｅｃｔ）情報として表現され、プレイリスト情報は１つ以上のＭＯ情報を連ねて構成されている。ＤＶＤ−ＶＲ規格と同様に、様々なシーンの組み合わせた再生を可能とするために、複数のプレイリスト情報が記録可能となっており、「ＰＬＳＴ＿ＭＧＲ」ファイルに記録される。
【００９０】
「タイムマップ情報」は、映像の経過時間と、これに対応する映像データの記録位置を表形式で記録した情報である。ＳＤ−ＶＩＤＥＯ規格において、タイムマップ情報は、映像の経過時間と、これに対応するストリームデータの記録位置を表形式で記録している。タイムマップ情報はストリームデータと１対１に対応するＭＯＩファイルに記録される。
【００９１】
「代表画像情報」は、映像データあるいはシーン等をユーザが識別しやすいように、映像データあるいはシーン等を代表する画像、いわゆるサムネイル画像を表示するための情報である。ＳＤ−ＶＩＤＥＯ規格において、代表画像情報は映像の特定の時間情報を記録しており、タイムマップ情報と同じ表現形式をとる。再生メニュー上でプログラムやプレイリストを選択するために表示するのに使用されるため、「ＰＲＧ＿ＭＧＲ」、「ＰＲＧｘｘｘ．ＰＧＩ」および「ＰＬＳＴ＿ＭＧＲ」ファイルに記録される。
【００９２】
ＨＤＤ６０に記録されている映像情報の記録フォーマットがＳＤ−ＶＩＤＥＯ規格であると判別された後は、「ＳＤ＿ＶＩＤＥＯ」ディレクトリを作成し（Ｓ１０３）、ファイルをコピーする（Ｓ１０４）。そして、図５に示した手順にしたがって共通再生制御情報を生成して、「ＳＤ＿ＶＩＤＥＯ」ディレクトリの下に「ＵＮＡＶ」ディレクトリを作成し、生成した共通再生制御情報を格納する（Ｓ１０５）。
【００９３】
共通再生制御情報の生成では、「ＳＤ＿ＶＩＤＥＯ」ディレクトリの下の「ＭＧＲ＿ＩＮＦＯ」ディレクトリから「ＭＧＲ＿ＤＡＴＡ」ファイルを取得し、「ＳＤ＿ＶＩＤＥＯ」ディレクトリ下の全体情報を取得する。また、「ＰＲＧ＿ＭＧＲ」および「ＰＬＳＴ＿ＭＧＲ」ファイルからプレイリスト情報を取得する。プレイリスト情報については、ＳＤ−ＶＩＤＥＯ規格の記録フォーマットにおけるプログラムおよびプレイリストが、実プレイリストおよびユーザプレイリストに対応することとし、ＤＶＤ＿ＲＴＡＶ規格の記録フォーマットにおけるプレイリストの意味合いと共通化を図るように定義している。
【００９４】
各プレイリストは１つ以上のＭＯ情報を含み、各ＭＯ情報はエントリーポイント（ＥＰ）の情報を含み、時間と名前を結びつけ、名前からエントリーポイントを選択し、頭出し再生が可能となっている。代表画像のポイント、ストリーム期間、ＭＯ期間、エントリーポイントはミリ秒単位で記述されている。共通再生制御情報処理部１９０は、解析結果を基に、固有再生制御情報から共通再生制御情報への変換処理を実行する。
【００９５】
第２実施例ではディスク全体に関連する情報はＸＭＬファイルの「ｇｅｎｅｒａｌ．ｘｆｕｎ」に記録し、実プレイリストに関連する情報は「ｒ００００１．ｘｆｕｎ」に記録し、ユーザプレイリストに関連する情報は「ｖ００００２．ｘｆｕｎ」に記録する。
【００９６】
個別再生制御情報に代表画像情報が含まれている場合には、そのエントリーポイントと時間情報を用いて、対応するＭＯＤファイルをＨＤＤ１４５から検索する。そして、再生処理部１５０が検索されたＭＯＤファイルをデコードして数フレーム分の画像データを生成する。次いで、画像処理部１６０が、時間情報に対応する画像データを選択し、規定の解像度に変換するとともに、ＪＰＥＧ等の所定の静止画圧縮方式に従って処理を行なうことで代表画像が生成される。プレイリストに対応する代表画像は同一のプレイリスト名を持つｔｈｂｆファイルに格納される。
【００９７】
第２実施例のように元の映像情報の記録フォーマットがＳＤ−ＶＩＤＥＯ規格の場合には、「ＳＤ＿ＶＩＤＥＯ」ディレクトリの下に「ＵＮＡＶ」ディレクトリを作成し、生成した共通再生制御情報を格納する。図１１は、第２実施例の映像情報のコピー処理が終了した状態におけるＨＤＤ１４５のディレクトリ／ファイル構造を示している。
【００９８】
本図に示すようにルートディレクトリには、第１実施例で作成された「ＤＶＤ＿ＲＴＡＶ」ディレクトリに加え、異なる記録フォーマットの「ＳＤ＿ＶＩＤＥＯ」ディレクトリが作成され、それぞれの「ＵＮＡＶ」ディレクトリに、それぞれの共通再生制御情報が格納されている。
【００９９】
「ＳＤ＿ＶＩＤＥＯ」ディレクトリに格納された映像情報は、共通再生制御情報を用いることにより、第１実施例で示した手順にしたがって再生することができる。したがって、コピー元において記録フォーマットの異なる映像情報であっても、同一の操作によって映像を再生することが可能となる。
［第３実施例］
次に、上記構成による映像記録再生システムの第３実施例について説明する。第３実施例では、メディア記録再生装置１０が、第１実施例の処理後、第２実施例に示した手順で第２デジタルビデオカメラ５０に装填されたＨＤＤ６０に記録された映像情報をＨＤＤ１４５にコピーした後に、総合再生制御情報を生成する処理について説明する。このため、ＨＤＤ１４５は、すでに、図１１に示したディレクトリ／ファイル構造となっているものとする。
【０１００】
第３実施例で生成する総合再生制御情報は、ＨＤＤ１４５にコピー元の異なる複数の映像情報が格納されている場合に、ユーザが映像情報を選択しやすくするための情報である。
【０１０１】
総合再生制御情報は、ＨＤＤ１４５の複数の映像情報が記録されたディレクトリと同じディレクトリに「ＵＮＡＶＥＸ」ディレクトリを作成して、「ＵＮＡＶＥＸ」ディレクトリの下に記録するものとする。
【０１０２】
図１２は、総合再生制御情報の生成・更新処理を説明するフローチャートである。本処理は、複数の映像情報をＨＤＤ１４５に格納した後に行なうことができる。例えば、第２実施例に示した処理の終了後に引き続き行なうようにする。ただし、最初の映像情報をＨＤＤ１４５に格納した時点で行なうようにしたり、ユーザからの生成指示に基づいて行なうようにしてもよい。
【０１０３】
総合再生制御情報の生成・更新処理では、まず、ＨＤＤ１４５を参照して、「ＵＮＡＶＥＸ」ディレクトリがすでに作成されているかどうかを判断する（Ｓ４０１）。作成されてない場合（Ｓ４０１：Ｎｏ）は、ＨＤＤ１４５の複数の映像情報が記録されたディレクトリと同じディレクトリに「ＵＮＡＶＥＸ」ディレクトリを作成する（Ｓ４０２）。
【０１０４】
そして、ＨＤＤ１４５に記録されている映像情報の固有情報を取得する（Ｓ４０３）。映像情報の固有情報は、ディレクトリ名、最終記録の日時情報等とすることができる。最終記録の日時情報等は、映像情報の共通再生制御情報を参照、解析することで取得することができる。
【０１０５】
さらに、オプション情報を取得する（Ｓ４０４）。ここで、オプション情報は、ディレクトリ名、最終記録の日時情報等以外の情報であり、例えば、それぞれの映像情報の内容を端的に表すために再生メニューで表示する代表画像や、タイトル名、タイトル詳細情報等とすることができる。これらは、映像情報の共通再生制御情報を参照、解析することで取得することができる。このため、共通再生制御情報生成の際に、これらの情報も変換し、付加しておくようにする。なお、共通再生制御情報の内容そのものを取得せずに、映像情報の共通再生制御情報へのリンク情報を取得するようにしてもよい。さらには、ユーザからタイトル名等の入力を受け付けるようにしてもよい。ただし、オプション情報が含まれていない場合もあり、オプション情報の取得処理は省くようにしてもよい。
【０１０６】
そして、取得した固有情報、オプション情報に基づいて総合再生制御情報を作成する（Ｓ４０５）。すでに、総合再生制御情報が作成されている場合には、取得した固有情報、オプション情報に基づいて更新する。総合再生制御情報は、共通再生制御情報と同様に、所定のページ記述言語、例えば、ＸＭＬフォーマットで記述するようにする。
【０１０７】
図１３は、生成された総合再生制御情報の一例を示す図である。総合再生制御情報は、ＨＤＤ１４５に記録された映像情報のディレクトリの情報を表すｂａｃｋｕｐ要素１３０１を含んでいる。ｂａｃｋｕｐ要素１３０１は、記録された映像情報に対応して設けられる。本図の例では、それぞれのｂａｃｋｕｐ要素１３０１の中のｓｐｅｃＤｉｒＮａｍｅ要素で「ＤＶＤ＿ＲＴＡＶ」と「ＳＤ＿ＶＩＤＥＯ」のディレクトリを表している。
【０１０８】
総合再生制御情報において、ｒｅｃｏｒｄｅｄＴｉｍｅ要素１３０２は、ディレクトリの最終更新日時を表わし、ｔｈｕｍｂｎａｉｌＩｎｄｅｘ要素１３０３は、代表画像の参照情報を表わし、ｍｅｄｉａＴｉｔｌｅＮａｍｅ要素１３０４は、各映像情報のタイトル名を表わし、ｍｅｄｉａＴｉｔｌｅＤｅｔａｉｌ要素１３０５は、各映像情報の詳細説明を表す。
【０１０９】
第３実施例では、映像情報全体に関連する総合再生制御情報は「ｅｘｔｅｎｔ．ｘｆｕｎ」ファイルとして記録し、代表画像に関連する総合再生制御情報は「ｅｘｔｅｎｔ．ｔｈｂｆ」ファイルとして記録するものとする。「ｅｘｔｅｎｔ．ｔｈｂｆ」ファイルには、共通再生制御情報と同様に、代表画像が連続して記録される。
【０１１０】
図１４は、「ＵＮＡＶＥＸ」ディレクトリが作成され、総合再生制御情報が格納された状態におけるＨＤＤ１４５のディレクトリ／ファイル構造を示す図である。本図に示すように、総合再生制御情報である「ｅｘｔｅｎｔ．ｘｆｕｎ」ファイルと「ｅｘｔｅｎｔ．ｔｈｂｆ」ファイルを格納した「ＵＮＡＶＥＸ」ディレクトリは、「ＤＶＤ＿ＲＴＡＶ」ディレクトリと「ＳＤ＿ＶＩＤＥＯ」ディレクトリと同じ階層に作成される。
［第４実施例］
次に、上記構成による映像記録再生システムの第４実施例について説明する。第４実施例では、メディア記録再生装置１０が、第３実施例で作成した総合再生制御情報に基づいて映像情報を再生する処理について説明する。このため、ＨＤＤ１４５は、すでに、図１４に示したディレクトリ／ファイル構造となっているものとする。
【０１１１】
図１５は、総合再生制御情報に基づいて映像情報を再生する処理について説明するフローチャートである。ユーザから映像情報の再生指示を受け付けると、メディア記録再生装置１０は、ＨＤＤ１４５を参照して、ルートディレクトリに「ＵＮＡＶＥＸ」ディレクトリが生成されているかどうかを判断する（Ｓ５０１）。「ＵＮＡＶＥＸ」ディレクトリが生成されていない場合（Ｓ５０１：Ｎｏ）には、図９に示した処理（Ｓ３０１）以降の処理を行ない、映像情報単位の再生処理を行なう。
【０１１２】
「ＵＮＡＶＥＸ」ディレクトリが生成されている場合（Ｓ５０１：Ｙｅｓ）には、「ＵＮＡＶＥＸ」ディレクトリから総合再生制御情報を読み込む（Ｓ５０２）。本実施例の場合には、総合再生制御情報はＸＭＬで記載された「ｅｘｔｅｎｔ．ｘｆｕｎ」ファイルである。
【０１１３】
続いて制御部１２０は、総合再生制御情報を解析し、ＨＤＤ１４５に格納されているそれぞれの映像情報に関する情報をメニュー形式で表示するメニュー画像を生成して、ディスプレイ装置７０に表示する（Ｓ５０３）。具体的には、図１３に示した各ｂａｃｋｕｐ要素１３０１の中のｓｐｅｃＤｉｒＮａｍｅ要素およびｒｅｃｏｒｄｅｄＴｉｍｅ要素１３０２を参照して各映像情報のディレクトリ名や記録日時情報を抽出して、映像情報を選択するためのメニュー画面を生成する。また、ｔｈｕｍｂｎａｉｌＩｎｄｅｘ要素１３０３が含まれている場合には、ｔｈｕｍｂｎａｉｌＩｎｄｅｘ要素１３０３で示される代表画像を「ｅｘｔｅｎｔ．ｔｈｂｆ」ファイルから抽出し、メニュー画面に含めるようにする。映像情報のメニュー画面のレイアウトはあらかじめ定めておくようにする。
【０１１４】
図１６は、映像情報のメニュー画面の一例を示す図である。本図は、ＨＤＤ１４５に、ＤＶＤ＿ＲＴＡＶ規格で記録された「ＤＶＤＸＸ」というタイトルの映像情報と、ＳＤ＿ＶＩＤＥＯ規格で記録された「ＳＤＹＹＹ」というタイトルの映像情報が記録されている場合の例であり、それぞれのタイトルと、記録フォーマットと、記録日時と、必要に応じて代表画像が含まれたメニュー画面が表示される。ユーザは、いずれかの映像情報を選択することができる。このとき、ユーザの操作等に応じて、映像情報の詳細情報を表示させるようにしてもよい。
【０１１５】
このメニュー画面で、ユーザから映像情報の選択を受け付けると（Ｓ５０４）、図９に示した処理（Ｓ３０２）以降の処理にしたがって、選択された映像情報に含まれるプレイリストの選択処理を行なう。図１７は、図１６に示した映像情報メニュー画面で「ＤＶＤＸＸ」というタイトルが選択された場合に表示するプレイリスト表示画面の一例を示す図である。本図の例では、「ＤＶＤＸＸ」というタイトルの映像情報には、「ＰＬ＿Ｄ＿１」「ＰＬ＿Ｄ＿２」「ＰＬ＿Ｄ＿３」という３つのプレイリストが含まれており、それぞれのプレイリストが選択可能な状態で表示されている。また、図１６に示した映像情報のメニュー画面に戻るためのアイコンも含めるようにしている。いずれかのプレイリストが選択されると、第１実施例に示した再生処理の手順にしたがって映像情報の再生を行なう。
［第５実施例］
次に、上記構成による映像記録再生システムの第５実施例について説明する。第５実施例では、メディア記録再生装置１０が、コピー元において記録フォーマットの異なる複数の映像情報を連続再生する処理について説明する。ＨＤＤ１４５は、すでに、図１４に示したディレクトリ／ファイル構造となっているものとする。
【０１１６】
異なるディレクトリに記録された異なる映像情報を連続再生するためには、再生対象の映像情報と再生順番とを指定する必要がある。そこで、メディア記録再生装置１０は、ユーザから、映像情報と再生順番の指定を受け付けて、総合ユーザプレイリストを作成し、ＵＮＡＶＥＸディレクトリの下にＸＭＬフォーマットのファイルとして追加する。
【０１１７】
図１８は、映像情報を連続再生するための総合ユーザプレイリストの作成処理について説明するフローチャートである。総合ユーザプレイリストの作成処理は、ユーザからユーザプレイリストの作成処理指示を受け付けることで開始する（Ｓ６０１）。総合ユーザプレイリストの作成処理指示は、操作受付部１３０を介して受け付けることができる。
【０１１８】
制御部１２０は、受け付けた指示に対して、総合プレイリスト編集画面をディスプレイ装置７０に表示する（Ｓ６０２）。総合ユーザプレイリスト編集画面は、ＨＤＤ１４５のＵＮＡＶＥＸディレクトリにアクセスして、総合再生制御情報である「ｅｘｔｅｎｔ．ｘｆｕｎ」を読み込み、映像情報に関する情報や代表画像情報を取得し、あらかじめ定められたレイアウトにしたがって生成することができる。
【０１１９】
総合ユーザプレイリスト編集画面で、ユーザは、映像情報を指定し、連続再生の対象とするプレイリストや、再生区間の選択指示を行なうことができる。この際に、メディア記録再生装置１０は、選択対象となった映像情報の「ＵＮＡＶ」ディレクトリにアクセスして、プレイリストや再生区間に関する情報を取得する。そして、取得した情報に基づいてプレイリストや、再生区間の選択を受け付けるためのメニュー画面を生成して、ユーザからの選択を受け付けるようにする（Ｓ６０３）。この選択は、ディレクトリの階層を上下することにより、複数の映像情報に渡って受け付けることができるようにする。
【０１２０】
例えば、「ＤＶＤ＿ＲＴＡＶ」ディレクトリの下の「ＵＮＡＶ」ディレクトリの実プレイリスト「ｒ００００１．ｘｆｕｎ」と、「ＳＤ＿ＶＩＤＥＯ」ディレクトリの下の「ＵＮＡＶ」ディレクトリの実プレイリスト「ｒ００００１．ｘｆｕｎ」の２つのプレイリストを選択することができる。
【０１２１】
ユーザが総合ユーザプレイリスト編集の終了を指示すると（Ｓ６０４：Ｙｅｓ）、ＨＤＤ１４５の「ＵＮＡＶＥＸ」ディレクトリに、総合ユーザプレイリストのＸＭＬファイルを格納する（Ｓ６０５）。総合ユーザプレイリストのＸＭＬファイルは、「ｖ００００１．ｘｆｕｎ」といった名前を付して格納する。また、「ｖ００００１．ｘｆｕｎ」に関連した代表画像をまとめた代表画像データファイルについても、「ｖ００００１．ｔｈｂｆ」といった名前を付して「ＵＮＡＶＥＸ」ディレクトリに格納する。図１９は、総合ユーザプレイリスト格納後のＨＤＤ１４５のディレクトリ／ファイル構成を示す図である。
【０１２２】
また、総合ユーザプレイリストである「ｖ００００１．ｘｆｕｎ」の一例を図２０に示す。本例では、ユーザによって選択されたプレイリストは、ｐｌａｙＩｔｅｍ要素２００１として記録し、プレイリストの名前をｒｅｆＴｏＰｌａｙＬｉｓｔＮａｍｅ要素２００２として記録する。また、格納されているディレクトリ名は、ｒｅｆＴｏＳｐｅｃＤｉｒＮａｍｅ要素２００３として記録する。
【０１２３】
なお、ユーザがメニュー画面から総合ユーザプレイリストのタイトルを見て把握しやすいように、ユーザから、総合ユーザプレイリストのタイトル名を受け付けるようにしてもよい。また、必要であれば、ここで作成された総合ユーザプレイリストに関連した代表画像をこれまでの代表画像の取得、作成手順と同様にして、作成することもできる。
【０１２４】
メディア記録再生装置１０は、総合ユーザプレイリストをＨＤＤ１４５に格納すると、総合再生制御情報を更新する（Ｓ６０６）。すなわち、格納した総合ユーザプレイリストを、総合再生制御情報である「ｅｘｔｅｎｔ．ｘｆｕｎ」に登録する。図２１は、更新された「ｅｘｔｅｎｔ．ｘｆｕｎ」の一例を示す図である。本図の例では、ｐｌａｙＬｉｓｔ要素２１０１の中に、総合ユーザプレイリスト名「ｖ００００１」がｐｌａｙＬｉｓｔＦｉｌｅＮａｍｅ要素２１０２として記録されている。
【０１２５】
次に、メディア記録再生装置１０が、総合ユーザプレイリストに基づいて、コピー元において記録フォーマットの異なる複数の映像情報を連続再生する処理について説明する。メディア記録再生装置１０は、ユーザからの総合ユーザプレイリスト表示指示にしたがって「ＵＮＡＶＥＸ」ディレクトリにアクセスし、総合再生制御情報である「ｅｘｔｅｎｔ．ｘｆｕｎ」を読み込む。そして、「ｅｘｔｅｎｔ．ｘｆｕｎ」に基づいて、総合ユーザプレイリストを選択するためのメニュー画面を生成して、ディスプレイ装置７０に表示する。総合ユーザプレイリストを選択するためのメニュー画面の生成は、上述のメニュー画面作成手順と同様に行なうことができる。図２２は、総合ユーザプレイリストを選択するためのメニュー画面の一例を示している。
【０１２６】
ユーザによって、再生する総合ユーザプレイリストが選択されると、メディア記録再生装置１０は、ＨＤＤ１４５の「ＵＮＡＶＥＸ」ディレクトリにアクセスし、選択された総合ユーザプレイリスト、例えば、「ｖ００００１．ｘｆｕｎ」の内容にしたがって、指定された映像情報のディレクトリの「ＵＮＡＶ」ディレクトリにアクセスし、指定されたプレイリスト等を再生順序にしたがって再生する。
【０１２７】
具体的には、図２０に示した総合ユーザプレイリストにおけるｐｌａｙＬｉｓｔ要素の中に記述されたｐｌａｙＩｔｅｍ要素２００１に含まれるｒｅｆＴｏＳｐｅｃＤｉｒＮａｍｅ要素２００３で示されるディレクトリの下の「ＵＮＡＶ」ディレクトリにアクセスし、ｒｅｆＴｏＰｌａｙＬｉｓｔＮａｍｅ要素２００２で示されるプレイリストを再生する。
【０１２８】
この結果、本図の例では、「ＤＶＤ＿ＲＴＡＶ」ディレクトリの下の「ＵＮＡＶ」ディレクトリの実プレイリスト「ｒ００００１．ｘｆｕｎ」と、「ＳＤ＿ＶＩＤＥＯ」ディレクトリの下の「ＵＮＡＶ」ディレクトリの実プレイリスト「ｒ００００１．ｘｆｕｎ」が順次再生されることになる。
【０１２９】
実プレイリストの再生では、上述のように、図７に示したｐｌａｙＬｉｓｔ要素７０４に含まれる、ｐｌａｙＩｔｅｍ要素７０１に記述されたプレイアイテム情報にしたがい、ｒｅｆＴｏＦｉｌｅＮａｍｅ要素、ｉｎＴｉｍｅ要素、ｏｕｔＴｉｍｅ要素に含まれる情報を再生処理部１５０に出力する。そして、再生処理部１５０がこれらの情報にしたがって、ＨＤＤ１４５から映像データ、例えば、ＶＲ＿ＭＯＶＩＥ．ＶＲＯファイル内の所定の再生区間を読み出し、映像データを復号してディスプレイ装置７０に出力する。
【０１３０】
以上、第５実施例では、総合ユーザプレイリストを用いて、コピー元において記録フォーマットの異なる複数の映像情報のプレイリストを連続再生する処理について説明したが、一般的なプレイリストと同様に、時間情報を用いて映像データファイルの一部を連続再生することも可能である。なお、本実施例で、時間情報はビデオフレーム数で示すものとする。図２３にその一例を示す。図２３は、「ＤＶＤ＿ＲＴＡＶ」ディレクトリの中の映像データの一部区間と、「ＳＤ＿ＶＩＤＥＯ」ディレクトリの下の「ＵＮＡＶ」ディレクトリ中のユーザプレイリストとの連続再生を定義している総合ユーザプレイリストの例である。
【０１３１】
ユーザから、図２３に示すような総合ユーザプレイリストの選択を受け付けると、制御部１２０は、ＨＤＤ１４５の「ＵＮＡＶＥＸ」ディレクトリの図２３で示されるユーザプレイリストファイルを読み込み、ｐｌａｙＬｉｓｔ要素２３０１の中に記述されたｐｌａｙＩｔｅｍ要素２３０２を順番に再生する。
【０１３２】
ｎｕｍｂｅｒ属性が「０」の最初のｐｌａｙＩｔｅｍ要素２３０２ａでは、時間情報で定められる区間の再生が行なわれる。このため、ｒｅｆＴｏＳｐｅｃＤｉｒＮａｍｅ要素２３０３ａ、ｒｅｆＴｏＦｉｌｅＮａｍｅ要素２３０４ａ、ｉｎＴｉｍｅ要素２３０５ａ、ｏｕｔＴｉｍｅ要素２３０６ａに含まれる情報を再生処理部１５０に送り出す。そして、再生処理部１５０がこれらの情報にしたがって、ＨＤＤ１４５から映像データ内の時間情報で定められる再生区間を読み出し、映像データを復号してディスプレイ装置７０に出力する。
【０１３３】
ｎｕｍｂｅｒ属性が「１」の次のｐｌａｙＩｔｅｍ要素２３０２ｂでは、プレイリストによる再生が行なわれる。このため、ｒｅｆＴｏＳｐｅｃＤｉｒＮａｍｅ要素２３０７ｂで示されるディレクトリの下の「ＵＮＡＶ」ディレクトリの中にあるｒｅｆＴｏＰｌａｙＬｉｓｔＮａｍｅ要素２３０８ｂで示されるプレイリスト、本例では、「ＳＤ＿ＶＩＤＥＯ」ディレクトリの「ＵＮＡＶ」ディレクトリ中の「ｖ００００２．ｘｆｕｎ」に記録された情報を再生処理部１５０に送り出す。そして、再生処理部１５０がこれらの情報にしたがって、ＨＤＤ１４５から映像データを読み出し、映像データを復号してディスプレイ装置７０に出力する。
［第６実施例］
次に、上記構成による映像記録再生システムの第６実施例について説明する。第６実施例では、メディア記録再生装置１０が、同一の記録フォーマットの映像情報を複数コピーする場合のディレクトリ名の管理について説明する。上述の例では、映像情報を格納するディレクトリ名は、記録フォーマットに応じたものであった。例えば、記録フォーマットがＤＶＤ−ＶＲ規格の映像情報であれば「ＤＶＤ＿ＶＲ」ディレクトリに格納し、記録フォーマットがＳＤ−ＶＩＤＥＯ規格の映像情報であれば、「ＳＤ＿ＶＩＤＥＯ」に格納していた。
【０１３４】
このため、同じ記録フォーマットの映像情報を格納する場合に、ディレクトリ名が重複し、それぞれの映像情報を識別できなくなるおそれがある。そこで、第６実施例では、映像情報の記録フォーマットに応じた名前のディレクトリを作成する際に、ディレクトリ名を、識別番号を付した名称とする。これにより、同じ記録フォーマットの映像情報のディレクトリを識別することができるようになる。
【０１３５】
識別番号は、例えば、＃番号とすることができる。この場合、映像情報の記録フォーマットに応じたディレクト名の語尾に＃番号を付すようにすることができる。また、識別番号は、すでに同じ記録フォーマットのディレクトリが作成してある場合に付してもよいし、同じ記録フォーマットのディレクトリの作成の有無にかかわらず付してもよい。なお、すでに同じ記録フォーマットのディレクトリが作成してあるかどうかは、例えば、「ＵＮＡＶＥＸ」ディレクトリ中の「ｅｘｔｅｎｔ．ｘｆｕｎ」を参照することで判断することができる。図２４は、識別番号を付したディレクトリ名称を用いた場合におけるＨＤＤのディレクトリ／ファイル構造を示す図である。
【０１３６】
以上説明したように、本実施形態では、メディア記録再生装置１０のＨＤＤ１４５に共通再生制御情報等を記録するようにしていたが、第１デジタルビデオカメラ２０あるいは第２デジタルビデオカメラ５０の記録メディアに共通再生制御情報等を記録するようにしてもよい。この場合、第１デジタルビデオカメラ２０あるいは第２デジタルビデオカメラ５０の記録メディアに記録された共通再生制御情報を用いることで、それぞれの記録メディアに記録された映像情報の再生を行なうことができる。
【０１３７】
なお、上記実施の形態の説明では、本発明の映像記録装置および映像記録再生装置をブロック図によりハードウエア的に構成して説明したが、本発明は、これに限らず、ＣＰＵがプログラムを実行することにより、本発明の映像記録装置および映像記録再生装置をソフトウエア的に構成するようにしてももちろんよい。
【符号の説明】
【０１３８】
１…映像記録再生システム、１０…メディア記録再生装置、２０…第１デジタルビデオカメラ、３０…ＤＶＤディスク、４０…ＵＳＢケーブル、５０…第２デジタルビデオカメラ、６０…ＨＤＤ、７０…ディスプレイ装置、１１０…通信部、１２０…制御部、１３０…操作受付部、１４０…ディスク管理部、１４５…ＨＤＤ、１５０…再生処理部、１６０…画像処理部、１７０…画像出力部、１８０…記録フォーマット判別部、１９０…共通再生制御情報処理部、２１０…撮影部、２２０…記録再生部、２３０…通信部、５１０…撮影部、５２０…記録再生部、５３０…通信部
【図１】
2010268196.tif 000003
【図２】
2010268196.tif 000004
【図３】
2010268196.tif 000005
【図４】
2010268196.tif 000006
【図５】
2010268196.tif 000007
【図６】
2010268196.tif 000008
【図７】
2010268196.tif 000009
【図８】
2010268196.tif 000010
【図９】
2010268196.tif 000011
【図１０】
2010268196.tif 000012
【図１１】
2010268196.tif 000013
【図１２】
2010268196.tif 000014
【図１３】
2010268196.tif 000015
【図１４】
2010268196.tif 000016
【図１５】
2010268196.tif 000017
【図１６】
2010268196.tif 000018
【図１７】
2010268196.tif 000019
【図１８】
2010268196.tif 000020
【図１９】
2010268196.tif 000021
【図２０】
2010268196.tif 000022
【図２１】
2010268196.tif 000023
【図２２】
2010268196.tif 000024
【図２３】
2010268196.tif 000025
【図２４】
2010268196.tif 000026